(57)【要約】      （修正有）【課題】腰ロープが容疑者の身体に密着し、腰ロープの緊結を解くことが困難な逃走防止用チョッキを提供する。【解決手段】逃走防止用チョッキ１は、前身ごろ２の胴回り３にはベルトループ４が、左後ろ身ごろ１０の胴回り１１にはベルトループ１２が、右後ろ身ごろ２０の胴回り２１にはベルトループ２２が取り付けられ、後ろ身ごろ９に開き部２６が設けられ、腰ロープを容疑者の背面側から、ベルトループ１２、４、２２に通して背面側で緊結可能としたことにより、容疑者は逃走防止用チョッキ１を脱がないと腰ロープの緊結を解けないことになるが、開き部２６が背面側にあるため、一人で脱ぐことができない。よって、腰ロープが身体から離れることがなく、逃走することを防止する。【選択図】図１
0003195121.tif 000002
【実用新案登録請求の範囲】
【請求項１】
両腕を通す袖ぐりと、首を入れる衿ぐりとを形成した前身ごろと後ろ身ごろとで構成し、
容疑者に着用して逃走を防止する逃走防止用チョッキであって、
前記前身ごろと前記後ろ身ごろとの胴回り部分には腰ロープを通すためのベルトループが取り付けられ、前記後ろ身ごろに開き部が設けられ、前記腰ロープを容疑者の背面側から、前記ベルトループに通して背面側で緊結可能としたことを特徴とする逃走防止用チョッキ。
【請求項２】
前記前身ごろのベルトループは、前記前身ごろの中央及び両端と異なる位置に取り付けられたことを特徴とする請求項１に記載の逃走防止用チョッキ。
【請求項３】
前記後ろ身ごろのベルトループは、前記前身ごろの両端と異なる位置に取り付けられることを特徴とする請求項１又は２に記載の逃走防止用チョッキ。
【請求項４】
前記後ろ身ごろは、左後ろ身ごろと右後ろ身ごろとで構成し、前記左後ろ身ごろに前記右後ろ身ごろを貼着することを特徴とする請求項１乃至３の何れかに記載の逃走防止用チョッキ。
【請求項５】
前記左後ろ身ごろと前記右後ろ身ごろとの貼着は、面ファスナーによって行われることを特徴とする請求項４に記載の逃走防止用チョッキ。
【考案の詳細な説明】
【技術分野】
【０００１】
本考案は、容疑者の逃走を防止する逃走防止用チョッキに関する。
【背景技術】
【０００２】
従来より、強盗が店舗から逃走することを防止するための逃走防止装置が知られている（特許文献１）。
【先行技術文献】
【特許文献】
【０００３】
【特許文献１】特開平８−２２７４８３号公報
【考案の概要】
【考案が解決しようとする課題】
【０００４】
しかしながら、このような逃走防止装置では、逮捕前の犯人が逃走した際に逮捕するこは想定しているものの、逮捕された容疑者が移送時に逃走することの防止までは想定しておらず、容疑者に対しては従来通り両手首に手錠を掛け、この手錠に腰ロープの端部の一方を緊結し、他方の端部を保持して逃走を防止する逃走防止具が用いられているが、用便等の際に手錠を外した状態で容疑者に腰ロープの緊結を解かれてしまうと、そのまま逃走を許してしまうという問題があった。
【０００５】
そこで、本考案の目的は、上記従来の逃走防止具の問題点を解消し、腰ロープが容疑者の身体に密着し、腰ロープの緊結を解くことが困難な逃走防止用チョッキを提供することにある。
【課題を解決するための手段】
【０００６】
本考案のうち、請求項１に記載された考案は、両腕を通す袖ぐりと、首を入れる衿ぐりとを形成した前身ごろと後ろ身ごろとで構成し、
容疑者に着用して逃走を防止する逃走防止用チョッキであって、
前記前身ごろと前記後ろ身ごろとの胴回り部分には腰ロープを通すためのベルトループが取り付けられ、前記後ろ身ごろに開き部が設けられ、前記腰ロープを容疑者の背面側から、前記ベルトループに通して背面側で緊結可能としたことを特徴とするものである。
【０００７】
請求項２に記載された考案は、請求項１に記載の考案に加え、前記前身ごろのベルトループは、前記前身ごろの中央及び両端と異なる位置に取り付けられたことを特徴とするものである。
【０００８】
請求項３に記載された考案は、請求項１又は２に記載の考案に加え、前記後ろ身ごろのベルトループは、前記後ろ身ごろの両端と異なる位置に取り付けられることを特徴とするものである。
【０００９】
請求項４に記載された考案は、請求項１乃至３に記載の考案に加え、前記後ろ身ごろは、左後ろ身ごろと右後ろ身ごろとで構成し、前記左後ろ身ごろに前記右後ろ身ごろを貼着することを特徴とするものである。
【００１０】
請求項５に記載された考案は、請求項４に記載の考案に加え、前記左後ろ身ごろと前記右後ろ身ごろとの貼着は、面ファスナーによって行われることを特徴とするものである。
【考案の効果】
【００１１】
請求項１に記載された逃走防止用チョッキは、容疑者は逃走防止用チョッキを脱がないと腰ロープの緊結を解けないことになるが、開き部が背面側にあるため、一人で脱ぐことができない。よって、腰ロープが身体から離れることがなく、逃走することを防止する。
【００１２】
請求項２に記載された逃走防止用チョッキは、ベルトループが手錠に接触しないため、容疑者の動作を妨げることがない。
【００１３】
請求項３に記載された逃走防止用チョッキは、容疑者が椅子等に座る際にはベルトループが接触しないため、容疑者の着席動作を邪魔することがない。
【００１４】
請求項４に記載された逃走防止用チョッキは、容疑者の体型に合わせて着用することが可能である。
【００１５】
請求項５に記載された逃走防止用チョッキは、貼着作業が容易であり、繰り返し使用することが可能である。
【図面の簡単な説明】
【００１６】
【図１】（ａ）は逃走防止用チョッキの正面側を示し、（ｂ）は背面側を示す説明図である。
【図２】逃走防止用チョッキの展開した状態を示す説明図である。
【図３】（ａ）は着用した逃走防止用チョッキにロープを通した状態の正面側を示し、（ｂ）はその平面側を示す説明図である。
【考案を実施するための形態】
【００１７】
以下、本考案の逃走防止用チョッキの一実施形態について、図面に基づいて詳細に説明する。
【００１８】
図１は、逃走防止用チョッキを示す説明図である。図２は、逃走防止用チョッキの展開した状態を示す説明図である。図３は、着用した逃走防止用チョッキにロープを挿通した状態を示す説明図である。
【００１９】
先ず初めに、図１（ａ）に示すように、逃走防止用チョッキ１は、ナイロン製のメッシュ材を裁断して縫製したもので、正面側の前身ごろ２と、図１（ｂ）に示すように、背面側の後ろ身ごろ９とで構成したものである。
このうち、前身ごろ２には、容疑者に逃走防止用チョッキ１を着用する際に、容疑者が両腕を通す袖ぐり５，５と、首を入れる衿ぐり６とが形成されており、下端に取り付けられる帆布製の胴回り３上には、後述する腰ロープ３０を挿通するポリエステル製のベルトループ４が中央から左側へ少し移動した位置に取り付けられている。この場合、より具体的には、正面中央より７０ｍｍ左側に移動した位置に取り付けられている。
【００２０】
次に、後ろ身ごろ９は中央に開き部２６が設けられ、左後ろ身ごろ１０と右後ろ身ごろ２０とで構成したものである。このうち、左後ろ身ごろ１０は、前身ごろ２と同様に、帆布製の胴回り１１が下端に取り付けられており、この胴回り１１上には、腰ロープ３０を挿通するポリエステル製のベルトループ１２が左端から右側へ少し移動した位置に取り付けられている。また、フック状に起毛された面ファスナー１３，１３・・が、右端の中央から左側へ一定の間隔を隔てて上下方向に取り付けられている。
【００２１】
他に、右後ろ身ごろ２０も、前身ごろ２や左後ろ身ごろ１０と同様に、帆布製の胴回り２１が下端に取り付けられており、この胴回り２１上には、腰ロープ３０を挿通するポリエステル製のベルトループ２２が右端から左側へ少し移動した位置に取り付けられている。
また、右後ろ身ごろ２０の左端には、ループ状に密集して起毛され、面ファスナー１３に貼着する面ファスナー２３が裏側に取り付けられ、表側には、先端部をリング状に形成した止め具２４，２４・・の後端部が、上下方向に所定の間隔を隔てて取り付けられている。この止め具２４の裏側には、面ファスナー２３と同様に、ループ状に密集して起毛され、面ファスナー１３に貼着する面ファスナー２５が取り付けられている。
【００２２】
このようにして構成される逃走防止用チョッキ１の容疑者への着用は、以下のように行われる。
先ず初めに、図１（ａ）（ｂ）に示す状態の逃走防止用チョッキ１において、左後ろ身ごろ１０の面ファスナー１３，１３・・に貼着された止め具２４，２４・・の面ファスナー２５，２５・・を引き剥がす。その後、面ファスナー１３に貼着された右後ろ身ごろ２３左端の面ファスナー２３も同様に引き剥がし、図２に示すように、逃走防止用チョッキ１を展開した状態にする。
【００２３】
次に、逃走防止用ベスト１を展開した状態から容疑者が両腕を袖ぐり５，５に通して首を衿ぐり６に入れ、容疑者の腹部に前身ごろ２が接触した状態で左後ろ身ごろ１０を背面側へと折り曲げる。そして、右後ろ身ごろ２０も同様に背面側へと折り曲げる。この時、面ファスナー２３を、面ファスナー１３、１３・・の何れかの位置に重ね合わせることとなるが、容疑者の体格に合った位置の面ファスナー１３に重ね合わせる。その後、止め具２４，２４・・を面ファスナー１３上にそれぞれ重ねることで、図３（ａ）に示すように、容疑者４０に逃走防止用チョッキ１を着用させた状態となる。
【００２４】
次に、図３（ａ）に示す状態において、逃走防止用チョッキ１のベルトループ１２に、腰ロープ３０の一方の先端を挿通する。そして、手錠の連結部３１に腰ロープ３０を巻き付けた後、背面側に腰ロープ３０をまわす。
その後、図３（ｂ）に示すように、腰ロープ３０をベルトループ４、２２の順に挿通することで時計回りに腰ロープ３０を回した後、容疑者４０の背面側で腰ロープ３０の他方の先端側に緊結する。一方、腰ロープ３０の他方の先端は、監視者が保持したり、壁や固定具等に緊結することで、容疑者４０は両腕を背面側に廻せないことから、腰ロープ３０の緊結を解除することができない。
また、上記手順と逆の手順を行うことで、腰ロープ３０を逃走防止用チョッキ１から外すことができ、更に容疑者４０に着用させた逃走防止用チョッキ１を脱衣することもできる。
【００２５】
上記の如く構成される逃走防止用チョッキ１は、前身ごろ２の胴回り３にはベルトループ４が、左後ろ身ごろ１０の胴回り１１にはベルトループ１２が、右後ろ身ごろ２０の胴回り２１にはベルトループ２２が取り付けられ、後ろ身ごろ９に開き部２６が設けられ、腰ロープ３０を容疑者４０の背面側から、ベルトループ１２、４、２２に通して背面側で緊結可能としたことにより、容疑者４０は逃走防止用チョッキ１を脱がないと腰ロープ３０の緊結を解けないことになるが、開き部２６が背面側にあるため、一人で脱ぐことができない。よって、腰ロープ３０が身体から離れることがなく、逃走することを防止する。
【００２６】
また、前身ごろ２のベルトループ４は、前身ごろ２の中央及び両端と異なる位置に取り付けられることにより、ベルトループ４が手錠に接触しないため、容疑者４０の動作を妨げることがない。
【００２７】
更に、後ろ身ごろ９のベルトループ１２とベルトループ２２とは、後ろ身ごろ９の両端と異なる位置に取り付けられたことにより、容疑者４０が椅子等に座る際にはベルトループ１２，２２が接触しないため、容疑者４０の着席動作を邪魔することがない。
【００２８】
他にも、後ろ身ごろ９は、左後ろ身ごろ１０と右後ろ身ごろ２０とで構成され、左後ろ身ごろ１０に右後ろ身ごろ２０を貼着することにより、容疑者の体型に合わせた着用が可能である。
【００２９】
また、左後ろ身ごろ１０と右後ろ身ごろ２０との貼着は、面ファスナー１３と面ファスナー２３及び面ファスナー１３と面ファスナー２５とによって行われることにより、貼着作業が容易であり、繰り返し使用することが可能である。
【００３０】
なお、本考案にかかる逃走防止用チョッキ１の構成は、上記した実施の形態に何ら限定されるものではなく、本発明の趣旨を逸脱しない範囲で、前身ごろや後ろ身ごろの大きさや厚み、形状等を適宜変更することができる。
【００３１】
例えば、ベルトループは、図１（ｂ）に示すように、左後ろ身ごろ１０のベルトループ１２と、右後ろ身ごろ２０のベルトループ２２とが取り付けられているが、必ずしも二箇所である必要はなく、腰ロープ３０が容疑者４０の身体から離れることがなく、逃走を防止するものであれば何れか一方だけであっても良く、適宜変更可能である。また、容疑者４０の動作を妨げる位置でなければベルトループの数を増やしても良い。前身ごろ２のベルトループ４についても同様である。
【００３２】
他にも、左後ろ身ごろ１０の面ファスナー１３は、必ずしも３箇所である必要はなく、各面ファスナー１３の幅を狭くするとともに、間隔を狭くすることで更に数を増やしても良く、適宜変更可能である。これにより、容疑者４０の体型により一層密着した着用が可能となる。
【００３３】
また、止め具２４についても、必ずしも３箇所である必要はなく、容疑者４０の体型により密着した着用が可能であれば更に数を増やしても良く、適宜変更可能である。
【符号の説明】
【００３４】
１・・逃走防止用チョッキ、２・・前身ごろ、３・・胴回り、４・・ベルトループ、５・・袖ぐり、６・・衿ぐり、９・・後ろ身ごろ、１０・・左後ろ身ごろ、１１・・胴回り、１２・・ベルトループ、１３・・面ファスナー（フック状）、２０・・右後ろ身ごろ、２１・・胴回り、２２・・ベルトループ、２３・・面ファスナー（ループ状）、２４・・止め具、２５・・面ファスナー（ループ状）、２６・・開き部、３０・・腰ロープ、３１・・連結部（手錠）、４０・・容疑者。
【図１】
0003195121.tif 000003
【図２】
0003195121.tif 000004
【図３】
0003195121.tif 000005